(57)【要約】【課題】プリンタ本体部１の側面部にマガジン６０を着脱可能に装着するための被装着面部８１ａを設けたプリンタＡにおいて、印刷中の記録紙の蛇行を防止するためのマガジンの位置決めを容易に且つ確実に行う。【解決手段】  マガジン装着状態において、位置決めピンによりマガジン６０の装着面部６０ｄのみを支持することで、外部送出ローラ６４の軸心と供給ローラ２４の軸心とが略平行になるようにする。【選択図】図２
2010195547.tif 000002
【特許請求の範囲】
【請求項１】
所定の搬送経路に沿って搬送される記録紙に対して画像を形成する印刷部を有するプリンタ本体部と、該プリンタ本体部の側面部に設けられた所定の被装着面部に着脱可能に装着される装着面部を有し且つ内部に記録紙が収容されるマガジンと、該マガジンの装着面部が前記被装着面部に装着されたマガジン装着状態において該マガジンの位置決めを行う位置決め手段と、を備えたプリンタであって、
前記マガジンは、該マガジン内の記録紙をマガジン外に送り出すためのマガジン側開口部と、該マガジン内の記録紙を該マガジン側開口部からマガジン外へと送り出す送出ローラと、を有し、
前記プリンタ本体部は、前記マガジン装着状態において、前記送出ローラにより前記マガジンから送り出される記録紙を該プリンタ本体部内へと導入するための本体側開口部と、前記本体側開口部と前記印刷部との間に配設され、該本体側開口部から該プリンタ本体部内に導入される記録紙を前記印刷部に向けて搬送する供給ローラと、を有しており、
前記位置決め手段は、前記マガジン装着状態において、前記プリンタ本体部の前記被装着面部に対して当該マガジンの前記装着面部のみを支持することにより、前記マガジン側開口部と前記本体側開口部とが連通するように且つ前記送出ローラの軸心と前記供給ローラの軸心とが略平行になるように、前記マガジンの位置決めを行うよう構成されていることを特徴とするプリンタ。
【請求項２】
請求項１記載のプリンタにおいて、
前記位置決め手段は、前記プリンタ本体部の前記被装着面部を形成する本体側基準部材と、該本体側基準部材と前記供給ローラとを支持する共通支持部材と、を含んでいることを特徴とするプリンタ。
【請求項３】
請求項１又は２記載のプリンタにおいて、
前記位置決め手段は、前記マガジン装着状態において、前記プリンタ本体部の被装着面部に対して前記マガジンの装着面部を突起と孔との嵌合により支持することで、前記マガジンの位置決めを行うように構成されていることを特徴とするプリンタ。
【請求項４】
請求項１乃至３のいずれか一項に記載のプリンタにおいて、
前記マガジンの装着面部は、前記マガジン側開口部の近傍にのみ設けられていることを特徴とするプリンタ。
【請求項５】
請求項１乃至４のいずれか一項に記載のプリンタにおいて、
前記送出ローラは、前記マガジン内における前記マガジン側開口部の近傍に配設されていることを特徴とするプリンタ。
【発明の詳細な説明】
【技術分野】
【０００１】
本発明は、所定の搬送経路に沿って搬送される記録紙に対して画像を形成する印刷部を有するプリンタ本体部と、記録紙が収容されてプリンタ本体部に着脱可能に装着されるマガジンとを備えたプリンタに関する技術分野に属する。
【背景技術】
【０００２】
従来より、写真プリントシステム等に用いられるプリンタとして、マガジン内にロール状に巻かれた状態で収容された記録紙を、マガジン内に設けられた送出ローラによりマガジン外に送り出して、送り出した記録紙をプリンタ本体部内に設けられた供給ローラにより印刷部まで搬送することで、印刷部にて該記録紙に対し画像を印刷するようにしたものが知られている（例えば、特許文献１参照）。
【０００３】
このプリンタでは、プリンタ本体部内にマガジン装填部が設けられており、前記マガジンはマガジン装填部に着脱可能に装填される。マガジン装填部は、通常の使用状態では、プリンタ本体部に設けられたメンテナンス扉によりプリンタ本体部外から遮蔽されており、ユーザは、メンテナンス扉を開けることで、プリンタ本体部内のマガジン装填部にアクセスして、マガジン内の記録紙の交換や、マガジンの交換作業を行えるようになっている。
【特許文献１】特開２００７-１６１３７５号公報
【発明の開示】
【発明が解決しようとする課題】
【０００４】
しかし、前記特許文献１に示すプリンタでは、印刷を行う記録紙の種類（サイズや面質）を変更しようとする際には、プリンタ本体部のメンテナンス扉の開閉作業等を伴うマガジンの取り替えやマガジン内の記録紙の取り替えといった煩わしい作業をユーザに強いることとなり、ユーザの肉体負担が増大するという問題がある。
【０００５】
そこで、マガジンをプリンタ本体部に対して外付け可能にすることで、マガジン装填部にマガジンを装填したまま（マガジンの交換作業を行うことなく）、前記外付けされたマガジン内の記録紙を使用して印刷を行うことが考えられる。この場合において、マガジン装着時に、マガジン内の送出ローラの軸心と、プリンタ本体部内の供給ローラの軸心との平行度が確保されていないときには、印刷中に記録紙が蛇行する等してその印刷品質が低下してしまう。このため、マガジンの装着に際してその位置決めを精度良く行う必要がある。
【０００６】
しかしながら、例えば、プリンタ本体部の側面部にマガジンを外付けするようにした場合には、プリンタ本体部の上面にマガジンを外付け（載置）する場合に比べて、ユーザのマガジン装着に要する肉体負担は低減されるものの、マガジンの下面がプリンタ本体部に支持されていない分、マガジン装着時における前記両ローラの平行度の確保（マガジンの位置決め）が困難になり、ユーザは、両ローラの平行度を確保するための細かな調整作業を強いられるという問題がある。
【０００７】
本発明は、斯かる点に鑑みてなされたものであり、その目的とするところは、プリンタ本体部の側面部にマガジンを着脱可能に装着するための被装着面部を設けたプリンタに対して、その構成に工夫を凝らすことで、マガジン装着時において記録紙の蛇行を防止するためのマガジンの位置決めを容易に且つ確実に行おうとすることにある。
【課題を解決するための手段】
【０００８】
前記の目的を達成するために、この発明では、マガジン装着状態において、マガジンの装着面部のみを支持することで、送出ローラの軸心と供給ローラの軸心とが略平行になるようにマガジンの位置決めを行う位置決め手段を備えるようにした。
【０００９】
具体的には、請求項１の発明では、所定の搬送経路に沿って搬送される記録紙に対して画像を形成する印刷部を有するプリンタ本体部と、該プリンタ本体部の側面部に設けられた所定の被装着面部に着脱可能に装着される装着面部を有し且つ内部に記録紙が収容されるマガジンと、該マガジンの装着面部が前記被装着面部に装着されたマガジン装着状態において該マガジンの位置決めを行う位置決め手段と、を備えたプリンタを対象とする。
【００１０】
そして、前記マガジンは、該マガジン内の記録紙をマガジン外に送り出すためのマガジン側開口部と、該マガジン内の記録紙を該マガジン側開口部からマガジン外へと送り出す送出ローラと、を有し、前記プリンタ本体部は、前記マガジン装着状態において、前記送出ローラにより前記マガジンから送り出される記録紙を該プリンタ本体部内へと導入するための本体側開口部と、前記本体側開口部と前記印刷部との間に配設され、該本体側開口部から該プリンタ本体部内に導入される記録紙を前記印刷部に向けて搬送する供給ローラと、を有しており、前記位置決め手段は、前記マガジン装着状態において、前記プリンタ本体部の前記被装着面部に対して当該マガジンの装着面部のみを支持することにより、前記マガジン側開口部と前記本体側開口部とが連通するように且つ前記送出ローラの軸心と前記供給ローラの軸心とが略平行になるように、前記マガジンの位置決めを行うよう構成されているものとする。
【００１１】
この構成によれば、前記マガジン装着状態において、位置決め手段により、マガジンの装着面部を支持することでマガジンの位置決めを行うようにしたことで、マガジンの位置決め精度に最も影響するマガジン装着面部の位置決め精度を十分に確保することができる。
【００１２】
また、マガジンを支持する支持部を複数設けた場合には、各支持部におけるマガジンの拘束が互いに影響し合うことによりマガジンの位置決め精度が低下するため、各支持部にてそれぞれ位置調整を行う必要があるが、本発明では、位置決め手段によるマガジンの支持部を前記装着面部のみとしたことで、このような不必要な調整を廃止することができて、マガジンの位置決め作業の容易化を図ることができる。
【００１３】
そして、位置決め手段によるマガジンの位置決めは、マガジン内に設けられる送出ローラとプリンタ本体部内に設けられる供給ローラとが略平行になるように行われるため、両ローラの平行度が低下することによる記録紙の蛇行を確実に防止してその印刷品質の向上を図ることができる。
【００１４】
請求項２の発明では、請求項１の発明において、前記位置決め手段は、前記プリンタ本体部の前記被装着面部を形成する本体側基準部材と、該本体側基準部材と前記供給ローラとを支持する共通支持部材と、を含んでいるものとする。
【００１５】
この構成によれば、被装着面部を形成する本体側基準部材と供給ローラとを、同じ部材（共通支持部材）に支持させるようにしたことで、供給ローラに対する被装着面部の位置出しを正確に行うことができ、延いては、マガジン装着状態における供給ローラに対する送出ローラの位置決め精度を向上させることができる。したがって、請求項１の発明と同様の作用効果を得ることが可能となる。
【００１６】
請求項３の発明では、請求項１又は２の発明において、前記位置決め手段は、前記マガジン装着状態において、前記プリンタ本体部の被装着面部に対して前記マガジンの装着面部を突起と孔との嵌合により支持することで、前記マガジンの位置決めを行うように構成されているものとする。
【００１７】
この構成によれば、マガジンの装着面部に孔を設けて被装着面部に該孔に嵌合する突起を設けるか、又は、マガジンの装着面部に突起を設けて被装着面部に該突起に嵌合する孔を設けることで、マガジン装着状態におけるマガジンの位置決めを、孔と突起との嵌合により容易に且つ確実に行うことができる。
【００１８】
請求項４の発明では、請求項１乃至３のいずれか１つの発明において、前記マガジンの装着面部は、前記マガジン側開口部の近傍にのみ設けられているものとする。
【００１９】
この構成によれば、マガジン装着状態において、前記位置決め手段により支持される装着面部を前記マガジン側開口部の近傍に位置させることができる。ここで、前記送出ローラは、通常、マガジン内におけるマガジン側開口部近傍に配設されるため、本発明の構成によれば、位置決め手段によるマガジン支持位置を送出ローラに極力近づけることができ、これにより、マガジン装着状態における送出ローラの供給ローラに対する位置決め精度を向上させることができる。よって、請求項１の発明と同様の作用効果をより一層確実に得ることができる。
【００２０】
請求項５の発明では、請求項１乃至４のいずれか１つの発明おいて、前記送出ローラは、前記マガジン内における前記マガジン側開口部の近傍に配設されているものとする。
【００２１】
これによれば、請求項４の発明と同様の作用効果を確実に得ることができる。
【発明の効果】
【００２２】
以上説明したように、本発明のプリンタによると、マガジン装着状態において、マガジンの装着面部のみを支持することで、送出ローラの軸心と供給ローラの軸心とが略平行になるようにマガジンの位置決めを行う位置決め手段を備えるようにしたことで、マガジン装着時において記録紙の蛇行を防止するためのマガジンの位置決めを容易に且つ確実に行うことができる。
【発明を実施するための最良の形態】
【００２３】
以下、本発明の実施形態を図面に基づいて詳細に説明する。
【００２４】
図１は、本発明の実施形態に係るプリンタとしてのインクジェットプリンタＡの外観を示す斜視図、図２は、インクジェットプリンタＡの内部の構成を示す、側方から見た概略図である。
【００２５】
図１及び図２に示すように、このインクジェットプリンタＡは、写真プリントシステムに用いられるものであって、例えば、画像データを取得して必要な補正処理等を行う受付ブロック（図示省略）から通信ケーブルを介して伝送される画像データに基づいて記録紙Ｐ１，Ｐ２に印刷を行うものである。
【００２６】
前記インクジェットプリンタＡは、下面にキャスター３が設けられた筐体２を有するプリンタ本体部１と、このプリンタ本体部１の一側に着脱可能に装着され且つ内部に記録紙Ｐ１を収容するマガジン６０と、手差トレイ７と、排出トレイ８とを備えている。この記録紙Ｐ１は、マガジン６０内部の収容室Ｓ１に、巻芯６８回りにロール状に巻かれた状態で収容され、この状態で径方向外側を向く面が印刷面とされている。
【００２７】
プリンタ本体部１には、詳細は後述するように、マガジン６０を装着するための被装着面部８１ａが設けられている。以下の説明では、プリンタ本体部１に対してマガジン６０が装着される側（被装着面部８１ａが設けられる側であって図２の左側）をプリンタ前側といい、その反対側（図２の右側）をプリンタ後側というものとする。また、図２の紙面と垂直な方向は、プリンタ左右方向であって、マガジン６０に収容されてプリンタ本体部１において搬送される記録紙Ｐ１の幅方向と一致している。
【００２８】
前記マガジン６０は、持ち運び可能に構成された略密閉状の箱型容器である。マガジン６０は、その上部に、前記被装着面部に装着される装着面部６０ｄを有していて、この装着面部６０ｄを介してのみプリンタ本体部１に支持（位置決め）されている。そして、マガジン６０は、後述するマガジン側ロック部７０と本体側ロック部８０とを係合させることによってプリンタ本体部１に固定されている（図９〜図１１参照）。なお、図１及び図２中、符号１６は、マガジン６０をプリンタ本体部１に装着する際に、マガジン６０を仮に支持するための支持軸であって、マガジン６０のプリンタ本体部１への装着が完了したマガジン装着状態（マガジン６０の装着面部６０ｄが前記被装着面部８１ａに装着された状態）では、支持軸１６とマガジン６０との間には僅かに隙間が生じている。
【００２９】
そして、マガジン６０内の記録紙Ｐ１は、マガジン６０内に設けられた外部送出ローラ６４によってマガジン外に送り出されてプリンタ本体部１に受け渡される。
【００３０】
前記プリンタ本体部１は、筐体２と、この筐体２内の下部に設けられ且つロール状に巻かれた長尺の記録紙Ｐ２を収容可能な収容室Ｓ２と、筐体２の収容室Ｓ２の手前側に開閉自在に取り付けられた開閉扉４と、筐体２の上部（収容室Ｓ２の上側）に設けられ、マガジン６０の収容室Ｓ１又は筐体２の収容室Ｓ２から引き出された記録紙Ｐ１，Ｐ２の印刷面、又は手差トレイ７から供給された単票状の記録紙（図示省略）の印刷面に対して、画像データに基づいて印刷を行う印刷部２１とを備えている。
【００３１】
前記筐体２内の収容室Ｓ２は、開閉扉４及び区画壁２ａによって区画されることで気密性が保たれている。この収容室Ｓ２には、巻芯５を中心にロール状に巻かれた記録紙Ｐ２が収容されている。また、巻芯５よりも上部には、区画壁２ａを貫通するとともにプリンタ後側に向かって傾斜する一対のガイド板１１が配設されている。このガイド板１１は、プリンタ前側に配置された前側ガイド板１１ａと、プリンタ後側に配置された後側ガイド板１１ｂとで構成されている。前側ガイド板１１ａの前端部は、開閉扉４に連続する位置まで延びており、前側ガイド板１１ａが、収容室Ｓ２を区画する区画壁２ａの一部を構成している。また、前側ガイド板１１ａの後端部は、後側ガイド板１１ｂの長さ方向の略中央位置まで延びている。
【００３２】
前記前側ガイド板１１ａの後端部の近傍には、内部送出ローラ１０が配設されている。巻芯５から引き出された記録紙Ｐ２は、内部送出ローラ１０と後側ガイド板１１ｂとの間に狭持され、内部送出ローラ１０の回転により供給ローラ２４に向かって送り出される。
【００３３】
前記手差トレイ７は、オペレータが単票状の記録紙を手差し供給するためのものであり、筐体２の前側上部に設けられている。手差トレイ７よりもプリンタ後側には、手差ローラ対９が配設されている。この手差ローラ対９は、記録紙における印刷部２１による印刷面に接触する駆動ローラ９ａと、印刷面とは反対側の面に接触する従動ローラ９ｂとで構成されている。駆動ローラ９ａはモータ（図示省略）により駆動される。そして、手差トレイ７に供給された記録紙は、手差ローラ対９の回転により供給ローラ２４に向かって送り出される。
【００３４】
ここで、前記内部送出ローラ１０と外部送出ローラ６４とは、同じ駆動モータ２６により駆動される。そして、印刷する記録紙Ｐ１，Ｐ２に応じてその駆動を切り換えることができるようになっている。以下、図３及び図４を用いて詳細に説明する。
【００３５】
図３は、電磁クラッチによる駆動モータの回転駆動力の伝達状態を示す概略側面図、図４は概略平面図である。なお、図４において、内部送出ローラ１０の位置は、実際には供給ローラ２４よりもプリンタ前側（図４では下側）であるが、各ローラ間の連結状態を見易くするために、内部送出ローラ１０を供給ローラ２４よりもプリンタ後側（図４では上側）に配置して説明するものとする。
【００３６】
図３及び図４に示すように、供給ローラ２４には、第１電磁クラッチ４０と、外部伝動ギア４１とが接続されている。第１電磁クラッチ４０は、第１内部伝動ギア１３及び第２内部伝動ギア１４を介して内部送出ローラ１０の駆動ギア１０ａに連結されている。これにより、駆動モータ２６の回転駆動力が内部送出ローラ１０に伝達される。
【００３７】
前記外部伝動ギア４１は、第２電磁クラッチ４５に連結されている。この第２電磁クラッチ４５は中間軸４２に接続されている。この中間軸４２には、第２電磁クラッチ４５の他にも、第１伝動プーリ１８が接続されている。第１伝動プーリ１８には、伝動ベルト４３の一端側が巻き掛けられている。伝動ベルト４３は、図３においてプリンタ下側に延びた後、プリンタ前側に向かって延びるように、方向変換ローラ４３ａに巻き掛けられている。伝動ベルト４３の他端側は、本体側ギア４４の第２伝動プーリ４４ａに巻き掛けられている。
【００３８】
一方、前記外部送出ローラ６４の駆動ギア６４ａには、マガジン側ギア６７が連結されている。このマガジン側ギア６７は、マガジン６０をプリンタ本体部１に装着させたときに、本体側ギア４４と噛合するようになっており、駆動モータ２６の回転駆動力が本体側ギア４４を介して外部送出ローラ６４に伝達される。
【００３９】
ここで、前記マガジン６０内の記録紙Ｐ１を印刷部２１に供給させる場合には、第１電磁クラッチ４０を停止させるとともに第２電磁クラッチ４５を作動させる。これにより、駆動モータ２６の回転駆動力が、外部伝動ギア４１、第２電磁クラッチ４５、第１伝動プーリ１８、伝動ベルト４３、第２伝動プーリ４４ａ、本体側ギア４４、マガジン側ギア６７、及び駆動ギア６４ａの順に伝達されて、記録紙Ｐ１が外部送出ローラ６４によってマガジン６０から印刷部２１に供給されるようになっている。
【００４０】
一方、前記プリンタ本体部１の収容室Ｓ２から記録紙Ｐ２を印刷部２１に供給させる場合には、第１電磁クラッチ４０を作動させるとともに第２電磁クラッチ４５を停止させる。これにより、駆動モータ２６の回転駆動力が、第１電磁クラッチ４０、第１内部伝動ギア１３、第２内部伝動ギア１４、及び駆動ギア１０ａの順に伝達されて、記録紙Ｐ２が内部送出ローラ１０によって印刷部２１に供給されるようになっている。
【００４１】
また、前記手差トレイ７から単票状の記録紙を印刷部２１に供給させる場合には、第１電磁クラッチ４０及び第２電磁クラッチ４５を両方とも停止させて、マガジン６０の収容室Ｓ１及び筐体２の収容室Ｓ２からの記録紙Ｐ１，Ｐ２の供給を停止させる。これにより、手差トレイ７に差し込まれた記録紙が手差ローラ対９によって印刷部２１に供給されるようになっている。
【００４２】
本実施形態に係るインクジェットプリンタＡでは、マガジン６０の収容室Ｓ１に収容された記録紙Ｐ１、筐体２の収容室Ｓ２に収容された記録紙Ｐ２、オペレータが手差トレイ７に手差し供給した単票状の記録紙を用いてそれぞれ印刷を行うことができる構成となっているが、印刷部２１に供給された後のそれぞれの記録紙に対する処理については同様である。そのため、以下では、マガジン６０に収容された記録紙Ｐ１を搬送して印刷を行う場合について主に説明する。
【００４３】
図２に示すように、前記外部送出ローラ６４によりプリンタ本体部１側へ受け渡された記録紙Ｐ１は、プリンタ本体部１に設けられた供給ローラ２４によって印刷部２１へ供給される。具体的に、記録紙Ｐ１は、供給ローラ２４と、供給ローラ２４に対向配置された２つの圧着ローラ２４ａとの間に挟持されて、駆動モータ２６（図４参照）によって供給ローラ２４が時計回り方向に回転駆動されることで印刷部２１まで搬送される。
【００４４】
ここで、前記外部送出ローラ６４と供給ローラ２４との間には、記録紙Ｐ１の印刷面（図２で上面）に当接する２つの補助ローラ１２，１２が配設されている。この補助ローラ１２は、記録紙Ｐ１を、外部送出ローラ６４と供給ローラ２４とを繋ぐ接線よりも下方に湾曲させるためのものであり、記録紙Ｐ１が手差ローラ対９に接触しないようにしている。
【００４５】
前記供給ローラ２４は、駆動モータ２６によって、記録紙Ｐ１をマガジン６０の収容室Ｓ１から引き出して印刷部２１側へ搬送する正方向の回転と、記録紙Ｐ１を収容室Ｓ１内へ戻す逆方向の回転とが可能なように構成されている。これにより、例えば、記録紙Ｐ１への印刷を中断して、手差トレイ７に差し込んだ単票状の記録紙や収容室Ｓ２内の記録紙Ｐ２を印刷部２１に供給して印刷を行う際に、搬送路上に存在する記録紙Ｐ１をマガジン６０内に戻すことができる。また、記録紙Ｐ１を新たなものに交換する際にも、プリンタ本体部１内に引き出されている記録紙Ｐ１をマガジン６０内に戻すことができる。
【００４６】
前記供給ローラ２４よりもプリンタ後側には、画像データに基づいて印刷を行う印刷部２１が設けられている。この印刷部２１は、図５に詳細に示すように、記録紙Ｐ１の印刷面に印刷するプリントヘッドＨと、供給ローラ２４より搬送される記録紙Ｐを支持するプラテン２３とを備えている。
【００４７】
前記プリントヘッドＨの下流側には、搬送経路よりも下側に配置された駆動ローラ２５ａと、その上側に位置する従動ローラ２５ｂとからなる圧着型の下流側ローラ対２５が配設されている。駆動ローラ２５ａは、モータ（図示省略）で駆動されるようになっている。
【００４８】
図５に示すように、前記プリントヘッドＨは、記録紙Ｐ１の上側位置において記録紙Ｐ１の幅方向（プリンタ左右方向）と一致する主走査方向Ｘに延びる２本のガイドレール３１に沿って移動可能に構成されている。また、プリントヘッドＨは、主走査方向Ｘと垂直であって記録紙Ｐ１の移動方向（プリンタ前後方向）と一致する副走査方向Ｙに並ぶ２つのヘッドユニット３２，３２を有しており、これら２つのヘッドユニット３２，３２の下面に設けられている多数のインク吐出ノズル（図示省略）から複数色のインクを下側へ向けて吐出することで、記録紙Ｐ１の印刷面に対して所定の画像を印刷できるようになっている。本実施形態では、ヘッドユニット３２が副走査方向Ｙに２段に並んで配設されているが、ヘッドユニット３２は２段である必要はなく、１段や３段以上であってもよい。
【００４９】
前記両ヘッドユニット３２は同一構成であり、各々、主走査方向Ｘに配設された、各色のインクを吐出するための複数のノズルアレイを有している。この各ノズルアレイにおいて、インク吐出ノズルが副走査方向Ｙに列状に配設されている。これにより、各ヘッドユニット３２は、単体でカラー画像を形成可能な構成とされている。そして、記録紙Ｐ１は、供給ローラ２４又は下流側ローラ対２５により一定の単位搬送量で間欠的に（ステップ状に）副走査方向Ｙに搬送され、この間欠搬送時における記録紙Ｐ１の各停止時に、プリントヘッドＨが主走査方向Ｘに一走査（一往動作又は一復動作）されて、この走査時に、主走査方向Ｘの各位置で、各ヘッドユニット３２の各色のインク吐出ノズルからインクが記録紙Ｐ１の印刷面に対して同時に吐出される。つまり、プリントヘッドＨの一走査後に、記録紙Ｐ１が単位搬送量だけ搬送され、その後、再びプリントヘッドＨが一走査され、この動作が繰り返し行われて、所望の画像が印刷されることになる。
【００５０】
ここで、本実施形態におけるプリントヘッドＨのインク吐出のための構成としては、インクが充填された圧力室内の容積がピエゾ素子によって変化することで、圧力室に連通するインク吐出ノズルからインクを吐出する一般的なピエゾ方式のものを採用している。
【００５１】
前記プラテン２３は板状の部材からなり、その上面が記録紙Ｐ１を支持する支持面２３ａとされている。このプラテン２３には、厚み方向（上下方向）に貫通して支持面２３ａに開口する多数の吸引用孔２３ｂが設けられている。プラテン２３の下側には、該プラテン２３とともに空間を形成するケース体３５（図２参照）が配設され、このケース体３５の下側に、ファン等を含む吸引装置３６（図２参照）が配設されている。そして、吸引用孔２３ｂは、ケース体３５内の空間と連通し、この空間は、吸引装置３６の吸込み口と連通しており、吸引装置３６の作動により吸引用孔２３ｂを介してプラテン２３の支持面２３ａ側に負圧が生じ、このことで、記録紙Ｐ１がプラテン２３の支持面２３ａ上に吸着保持されることになる。これにより、印刷時の記録紙Ｐ１の平面性を確保して印刷品質を向上させることが可能になる。
【００５２】
また、前記プラテン２３の支持面２３ａには、インク吸収材３８を収容するための、副走査方向Ｙに延びる凹部２３ｃが形成されている。このインク吸収材３８は、記録紙Ｐ１全体に画像を印刷する縁なし印刷を行う際に、プリントヘッドＨ（ヘッドユニット３２）より吐出したインクの一部が支持面２３ａ上の記録紙Ｐ１の幅方向の端縁から外側に外れてはみ出したとしても、その外側に外れたインクによりプラテン２３の支持面２３ａが汚れるのを防止するために設けられたものである。このため、凹部２３ｃは、支持面２３ａにおいて支持面２３ａ上の記録紙Ｐ１の幅方向の端縁に対応する位置で且つ副走査方向ＹにおけるプリントヘッドＨに対応する位置において、該端縁に沿って延びる（つまり副走査方向Ｙに延びる）ように形成されている。図５の例では、５種類の幅の記録紙Ｐ１に対応可能にするべく、片側５個ずつの合計１０個の凹部２３ｃが設けられている。インク吸収材３８は、インク吸収性に優れた、例えばスポンジ状のものが好ましい。
【００５３】
前記インクジェットプリンタＡの右側下部には、互いに色相の異なるインクが封入された４つのインクカートリッジ２７（図１参照）が着脱可能に収容されている。従って、これらのインクカートリッジ２７を着脱することにより、使用中又は使用済みのものを新しいものに交換できるようになっている。なお、これらのインクカートリッジ２７にはそれぞれ、イエロー（Ｙ）、マゼンタ（Ｍ）、シアン（Ｃ）、ブラック（Ｋ）の各インクが封入されている。
【００５４】
図２に示すように、前記下流側ローラ対２５よりもプリンタ後側には、印刷後の記録紙Ｐ１を所定のサイズに切断したり、縁なし印刷を行う場合において記録紙Ｐ１の先端及び後端における余白を切断するカッター５０が配設されている。
【００５５】
前記カッター５０は、記録紙Ｐ１の搬送経路の上側に配置された固定刃５０ａと、記録紙Ｐ１の搬送経路の下側に配置され、モータ（図示省略）により固定刃５０ａに対して上下方向に移動する可動刃５０ｂとで構成され、可動刃５０ｂが記録紙Ｐの下側から上側に移動することで記録紙Ｐ１を切断する。この切断による切り屑は、筐体２の下部に配設された屑箱５１に落下して収容される。
【００５６】
前記カッター５０よりもプリンタ後側には、カッター５０で切断された記録紙Ｐ１を挟持してさらにプリンタ後側へ搬送する圧着型の搬送ローラ対４６と、搬送ローラ対４６により搬送されてきた記録紙Ｐ１を排出トレイ８上に排出する排出ローラ対４８とが配設されている。
【００５７】
前記搬送ローラ対４６及び排出ローラ対４８において、下側に位置する駆動ローラ４６ａ，４８ａは、モータ（図示省略）により駆動され、その回転速度、つまり搬送ローラ対４６及び排出ローラ対４８による記録紙Ｐ１の搬送速度は可変に構成されている。また、上側に位置する従動ローラ４６ｂ，４８ｂは、下側の駆動ローラ４６ａ，４８ａに対してそれぞれ圧着された状態と圧着が解除された状態とを切り換えることが可能になっている。
【００５８】
前記搬送ローラ対４６と排出ローラ対４８との間には、印刷部２１において記録紙Ｐ１の印刷面に付着したインクを乾燥させるための乾燥風Ｗを記録紙Ｐ１の印刷面に吹き付ける乾燥装置５３が設けられている。この乾燥装置５３は、乾燥装置５３内に空気を取り込むための吸入ファン５４と、この吸入ファン５４で取り込んだ空気を加熱する加熱ヒータ５５と、乾燥装置５３の下端部に開口して、加熱ヒータ５５で加熱された空気を乾燥風Ｗとして記録紙Ｐ１の印刷面に吹き付ける排気ノズル部５６と、乾燥装置５３内の温度を検出して加熱ヒータ５５を緊急停止させる安全サーモ５７とを備えている。
【００５９】
ここで、前記乾燥装置５３によるインクの乾燥度合いは、インクジェットプリンタＡが設置された環境条件（温度や湿度等）に応じて変化するため、駆動ローラ４６ａ，４８ａの回転速度が変更されて、記録紙Ｐ１の搬送速度が変更されるようになっている。乾燥装置５３によって乾燥された記録紙Ｐ１は、排出ローラ対４８によって排出トレイ８上に排出される。
【００６０】
＜マガジンの構成について＞
次に、マガジン６０の構成やその取付構造について図面を用いて説明する。図２，図６〜図８，及び図１６に示すように、このマガジン６０は、上方に開口を有する箱状のマガジン本体６１と、このマガジン本体６１に対してヒンジ部６０ａ（図８参照）を介して開閉自在に支持された蓋体６２と、持ち運びを容易にするためのアーチ状のハンドル６３とを備えている。なお、以下の説明では、マガジン６０におけるプリンタ本体部１に装着される側をマガジン前側（図１６参照）、その反対側をマガジン後側といい、また、マガジン前側から見て左側をマガジン左側、マガジン前側から見て右側をマガジン右側というものとし、マガジン左右方向は、マガジン６０内に収容された記録紙Ｐ１の幅方向に一致している。
【００６１】
前記マガジン本体６１の左右方向の両端部には、パッチン錠６０ｂが設けられている。そして、蓋体６２を閉じた状態でパッチン錠６０ｂを閉じることで、マガジン本体６１と蓋体６２とが係合されている。これにより、マガジン６０内部に収容室Ｓ１が形成される。このマガジン６０の収容室Ｓ１には、マガジン左右方向に延びる巻芯６８を中心にロール状に巻かれた記録紙Ｐ１が収容されている。
【００６２】
前記マガジン６０におけるマガジン前側面は、その上端部が該上端部を除く部分に対してマガジン前側に突出しており、この突出面には、プリンタ本体部１に記録紙Ｐ１を送り出すためのマガジン側開口部６０ｃ（図１６参照）が形成されている。マガジン側開口部６０ｃは、マガジン左右方向に延びる略矩形状を呈しており、前記突出面におけるマガジン側開口部６０ｃを挟む左右両側の部分が装着面部６０ｄとされ、このことで、装着面部６０ｄは、マガジン側開口部６０ｃの近傍にのみ形成されることとなる。この左右の装着面部６０ｄにはそれぞれ位置決め孔６１ｂが形成されている。位置決め孔６１ｂの孔形状は、略矩形状とされているが、これに限らず、例えば円形状であってもよいことはいうまでもない。
【００６３】
また、マガジン６０内におけるマガジン側開口部６０ｃの近傍には、マガジン内の記録紙Ｐ１をマガジン側開口部６０ｃからマガジン外に送り出すための外部送出ローラ６４（図２参照）が配設されている。外部送出ローラ６４の軸心は、マガジン６０内に記録紙Ｐ１が収容された状態において前記巻芯６８の軸心に対し略平行になっている。
【００６４】
また、マガジン本体６１の下部でその左右方向の両端部には、支持部材１５の支持軸１６に嵌合される軸受溝６１ａが形成されている。
【００６５】
前記外部送出ローラ６４の下側には、巻芯６８から引き出された記録紙Ｐ１をマガジン側開口部６０ｃまで導くガイド部材６５が設けられている。そして、外部送出ローラ６４とガイド部材６５との間に記録紙Ｐ１が挟持されて、外部送出ローラ６４が回転することにより、記録紙Ｐ１がマガジン側開口部６０ｃから送り出されるようになっている。
【００６６】
前記外部送出ローラ６４よりも上流側で且つガイド部材６５の左右方向の両端部には、幅規制部材６６（図１４参照）が配設されている。この幅規制部材６６は、オペレータの操作によって、印刷処理する記録紙Ｐ１の幅に対応した位置に位置している。すなわち、幅規制部材６６は、印刷処理する記録紙Ｐ１の幅方向の両端縁にそれぞれ当接するように位置している。
【００６７】
図９〜図１３，及び図１５に示すように、前記マガジン６０には、プリンタ本体部１の後述する本体側ロック部８０に係合させて、マガジン６０をプリンタ本体部１に装着固定するためのマガジン側ロック部７０が設けられている。このマガジン側ロック部７０は、マガジン本体６１の右側上部に設けられたロックレバー７１と、ロックレバー７１の回動中心となる回動軸７２と、回動軸７２の軸方向に間隔をあけて接合されロックレバー７１の回動動作に連動して回動する一対の支持板７３，７３と、一対の支持板７３，７３に跨って両端支持された係合ロッド７４とを備えている。
【００６８】
前記支持板７３には、係合ロッド７４を挿通させて支持するための長孔７３ａが形成されている。この長孔７３ａはプリンタ前後方向に延びるように形成されており、係合ロッド７４は、引張バネ７５によって長孔７３ａのプリンタ前側（図９の左側）に位置するように付勢されている。
【００６９】
図６〜図８に示すように、前記プリンタ本体部１のプリンタ前側の下部には、マガジン６０の下部を回動自在に支持する支持部材１５が設けられている。また、プリンタ本体部１のプリンタ前側で且つ支持部材１５よりも上部には、記録紙Ｐ１をプリンタ本体部１内に導入するための本体側開口部１ａが形成されている。本体側開口部１ａは、その位置が供給ローラ２４に対して極力近づくようにプリンタ本体部１の上部に形成されている。
【００７０】
前記支持部材１５は、上方が開口した凹状の支持本体部１５ａと、支持本体部１５ａに両端支持されてプリンタ左右方向に延びる支持軸１６と、支持本体部１５ａの凹溝内に設けられて上方に向かって徐々に幅広くなるように開口した規制ガイド部１５ｂとを備えている。
【００７１】
前記支持軸１６は、マガジン６０をプリンタ本体部１に装着する際にマガジン６０の下部を支持（仮置き）するためものである。具体的に、マガジン６０の下部の軸受溝６１ａと支持軸１６とを嵌合させることで、マガジン６０を支持軸１６周りに回動可能に支持している。
【００７２】
ここで、マガジン６０の下部の軸受溝６１ａを支持軸１６に嵌合させる際には、マガジン６０の下部が規制ガイド部１５ｂの開口部分に嵌め込まれる。この開口部分はテーパー状に形成されているから、マガジン６０の幅方向への移動が規制されて位置決めをスムーズに行うことができるようになっている。
【００７３】
そして、前記マガジン６０の下部を支持軸１６に回動可能に支持させた状態で、マガジン６０を支持軸１６周りにプリンタ本体部１側へ回動させることで、マガジン側開口部６０ｃと本体側開口部１ａとが連通される。
【００７４】
図１５に示すように、前記プリンタ本体部１の本体側開口部１ａの左右両端部には、前記被装着面部８１ａが設けられている。被装着面部８１ａは、プリンタ左右方向に延びるフレーム８１（本体側基準部材に相当）のプリンタ前側面のうち左右両端部を構成しており、この左右両端部にはそれぞれプリンタ前側に突出するコーン型の位置決めピン１７が取り付け支持されている。
【００７５】
フレーム８１は、プリンタ左右方向に並ぶ一対の支持板１０１により支持されており、支持板１０１は筐体２に固定されている。この支持板１０１は、供給ローラ２４や、内部送出ローラ１０等のその他のローラを支持するためのものであって、本実施形態では、この支持板１０１を利用してフレーム８１が支持されている。具体的には、支持板１０１には、各ローラを回動支持するためのベアリング取付部（図１５では供給ローラ２４のベアリング取付部１０１ａのみを示す）の他に、フレーム８１の両端面に設けられたボス部８１ｂと係合する切欠部１０１ｂが設けられており、フレーム８１は、ボス部８１ｂを切欠部１０１ｂに係合させた状態で取付け螺子１０２により支持板１０１に固定されている。
【００７６】
そうして、マガジン６０を、支持軸１６周りに回動させて、装着面部６０ｄを被装着面部８１ａに当接（装着）させることで、前記各位置決めピン１７がそれぞれ前記各位置決め孔６１ｂに嵌合（係合）する。より詳細には、位置決めピン１７の基端部が、位置決め孔６１ｂに対してその上下方向及び左右方向において嵌合する（図１６参照）。なお、位置決めピン１７は、位置決め孔６１ｂに対して少なくとも上下方向において嵌合していればよく、必ずしも左右方向において嵌合している必要はない。
【００７７】
位置決めピン１７と位置決め孔６１ｂとが嵌合すると、マガジン６０の下端部の軸受溝６１ａが支持軸１６から僅かに上方に浮き上がって、マガジン６０は、位置決めピン１７によってのみ支持されてその位置決めが完了することとなる。そして、マガジン６０は、マガジン側開口部６０ｃと本体側開口部１ａとが連通するように、且つ、外部送出ローラ６４の軸心と供給ローラ２４の軸心とが略平行になるように位置決めされることとなる。
【００７８】
ここでいう「略平行」とは、例えば、記録紙Ｐ１の幅方向の左右両側（又は一側）に所定幅の余白を設ける縁なし印刷を行う場合において、搬送方向に所定長さ（例えば両ローラ間の搬送経路長さに相当する長さ）の印刷を行う間の該余白の変化幅が０．５ｍｍ以下となるように両ローラ２４，６４の平行度が確保されていることを意味する。
【００７９】
図９〜図１３，及び図１５に示すように、前記プリンタ本体部１の本体側開口部１ａの幅方向略中央で且つ下部位置には、マガジン６０のマガジン側ロック部７０に係合する本体側ロック部８０が設けられている。この本体側ロック部８０は、前記フレーム８１と、フレーム８１の長さ方向の略中央位置でプリンタ前方に水平に延びた後、その先端部が下方に折れ曲がってＬ字状に形成された係合フック部８２と、プリンタ左右方向に延びる中心軸８３ａ周りに回動自在な解除フック部８３とで構成されている。
【００８０】
前記フレーム８１には、係合フック部８２の他にも、位置決めピン１７や後述する検出センサ８５（図１４及び図１５参照）が取り付けられている。図９に示すように、解除フック部８３は、付勢バネ（図示省略）によってプリンタ前側に位置するように付勢されている。以下、解除フック部８３がプリンタ前側に付勢された位置を解除位置と呼ぶこととする。そして、マガジン６０の装着動作時に、マガジン６０のマガジン側ロック部７０の係合ロッド７４を解除フック部８３に対して押圧させていくと、解除フック部８３が中心軸８３ａ周りに回動して、付勢バネの付勢力に抗してプリンタ後側に移動するようになっている（図１０参照）。
【００８１】
そして、図１１に示すように、ロックレバー７１を反時計回り方向に回転させると、係合ロッド７４は係合フック部８２に係合される。ここで、係合ロッド７４は、引張バネ７５の付勢力に抗して長孔７３ａのプリンタ後側（図１１の右側）に移動しているため、引張バネ７５の付勢力により係合ロッド７４と係合フック部８２とが確実にロックされる。また、解除フック部８３は、付勢バネの付勢力によって係合ロッド７４を押圧した状態となっている。このため、係合ロッド７４が係合フック部８２と解除フック部８３とに挟持された状態となり、より確実にロックされるようになっている。以下、図１１に示す係合ロッド７４が係合フック部８２に係合している位置をロック位置と呼ぶこととする。
【００８２】
前記解除フック部８３は、オペレータがマガジン６０をプリンタ本体部１から取り外す際に、マガジン６０がプリンタ本体部１から脱落してしまうのを防止するためのものである。具体的に、係合ロッド７４がロック位置にあるときに、ロックレバー７１を時計回り方向に回転させて係合ロッド７４と係合フック部８２との係合を解除すると、付勢バネによってプリンタ前側に付勢されている解除フック部８３が、係合ロッド７４の移動に同期して、解除フック部８３の先端部が係合ロッド７４に係合しながら解除位置まで移動するようになっている（図１２参照）。
【００８３】
このような構成とすれば、係合ロッド７４と係合フック部８２との係合を解除してマガジン６０を取り外す際に、オペレータがマガジン６０から手を離していたり、マガジン６０をしっかりと把持していなかったとしても、係合ロッド７４と解除フック部８３とが係合しているために、マガジン６０がプリンタ本体部１から脱落して破損してしまう等の不具合を防止することができる。
【００８４】
そして、図１３に示すように、係合ロッド７４が解除位置にあるときに、ロックレバー７１を反時計回り方向に回転させることで、係合ロッド７４と解除フック部８３との係合が解除される。そして、マガジン６０を支持部材１５の支持軸１６周りに回動させることで、マガジン６０を取り外すことができる。
【００８５】
図１４は、マガジンとプリンタ本体部との装着部周辺の構成を示す側面断面図である。図１４に示すように、プリンタ本体部１の本体側開口部１ａには、プリンタ左右方向に複数の検出センサ８５が設けられている。この検出センサ８５は、透光部８５ａと受光部８５ｂとを有する透過型センサで構成されている。
【００８６】
前記マガジン６０の装着面側の上部には、検出センサ８５で検出される検出板８６が設けられている。この検出板８６は、マガジン６０をプリンタ本体部１に装着させたときに、複数の検出センサ８５のうちいずれかを遮光するようになっており、マガジン６０の装着確認を行うことができるようになっている。
【００８７】
また、前記検出板８６には、複数の検出センサ８５の位置に対応して幅方向に間隔をあけて複数のスライド孔８６ａが形成されている。このスライド孔８６ａは、前後方向に延びる長孔形状とされ、スライド孔８６ａには、前後方向にスライド移動可能なスライドスイッチ８７が設けられている。
【００８８】
前記スライドスイッチ８７は、マガジン６０内の記録紙Ｐ１の特性（長さ、厚み等の寸法特性や、硬さ、面質（光沢やマット）等の材料特性）に応じて、オペレータによってその位置が設定される。具体的に、スライドスイッチ８７をスライド孔８６ａのプリンタ後側（図１４では右側）に位置付けておくと、マガジン６０をプリンタ本体部１に装着させたときに、検出センサ８５のセンサ光が遮光される。一方、スライドスイッチ８７をスライド孔８６ａのプリンタ前側（図１４では左側）に位置付けておくと、検出センサ８５のセンサ光がスライド孔８６ａを通過するようになっている。
【００８９】
このように、前記マガジン６０をプリンタ本体部１に装着させたときに、検出センサ８５によりスライドスイッチ８７が検出されることで、スライドスイッチ８７の組み合わせから記録紙Ｐ１の面質等が判断され、適切な印刷速度や搬送速度で記録紙Ｐ１を印刷処理できるようになっている。
【００９０】
また、前記インクジェットプリンタＡの電源投入時に、検出センサ８５によりマガジン６０がプリンタ本体部１に装着されていることを検出すると、マガジン６０の外部送出ローラ６４が駆動して、記録紙Ｐ１を印刷部２１まで送り出すようになっている。そして、プリントヘッドＨが記録紙Ｐ１上を主走査方向Ｘに走査することで、プリントヘッドＨに設けられたセンサ（図示省略）によって記録紙Ｐ１の幅方向の長さが検出される、いわゆるイニシャル駆動が行われる。
【００９１】
また、前記マガジン６０を装着していない状態では、本体側開口部１ａを塞ぐ閉塞蓋（図示省略）を閉じることで、本体側開口部１ａを介して、乾燥した空気が収容室Ｓ２内に流入したり収容室Ｓ２内の調湿空気が外部に流出しないようにしている。この開閉蓋には、検出センサ８５を遮光する検出片（図示省略）が取り付けられており、開閉蓋を閉じた状態で検出センサ８５のセンサ光を遮光することで、開閉蓋が閉じられていることを判断できるようになっている。そして、マガジン６０が装着されていない状態で、開閉蓋が開いていることを検出センサ８５で検出すると、開閉蓋を閉めることを促すように、モニタ（図示省略）に警報メッセージが表示される等の警報動作が行われるようになっている。
【００９２】
前記マガジン６０の装着面側の上部には、空気流路９０が開口している。この空気流路９０は、マガジン６０内の収容室Ｓ１に連通している。一方、プリンタ本体部１のマガジン装着面側には、マガジン６０をプリンタ本体部１に装着させた状態で空気流路９０に連通する連通口９１が形成されている。この連通口９１は、プリンタ本体部１の収容室Ｓ２に連通している。
【００９３】
また、前記マガジン６０の空気流路９０の流路途中には、空気流路９０内の空気の流通を遮断又は許可する開閉シャッタ９５が設けられている。開閉シャッタ９５は、マガジン６０のロックレバー７１の回動軸７２に連結されており、ロックレバー７１の回動動作に連動して、開閉シャッタ９５が回動軸７２周りに回動して開閉するようになっている。
【００９４】
前記開閉シャッタ９５の上側及び下側端縁部には、空気流路９０の上側及び下側の内周面にそれぞれ密着するパッキン部材９６が設けられている。このパッキン部材９６は、弾性を有する材料で構成され、開閉シャッタ９５が閉位置にあるときに空気流路９０の内周面に当接して、空気流路９０の空気の流通を遮断している。また、開閉シャッタ９５が開位置にあるときには、開閉シャッタ９５の上側のパッキン部材９６と空気流路９０の内周面との間に隙間が形成され、空気の流通が許可されるようになっている。ここで、開閉シャッタ９５には、付勢バネ９７が取り付けられており、付勢バネ９７の付勢力によって開閉シャッタ９５が閉位置に付勢されている。
【００９５】
前記収容室Ｓ２内には、調湿装置（図示省略）が設けられており、収容室Ｓ２内の湿度調整を行うことで、収容室Ｓ２内が乾燥して記録紙Ｐ２表面にヒビ割れが生じることを防止している。そして、マガジン６０をプリンタ本体部１に装着させて、係合ロッド７４と係合フック部８２とを係合させるべくロックレバー７１を回動させたときに、開閉シャッタ９５が回動軸７２周りに回動して空気流路９０の空気の流通が許可されるようになっている。これにより、マガジン６０の収容室Ｓ１とプリンタ本体部１の収容室Ｓ２とが連通して一体となった略密閉空間が形成されることとなる。
【００９６】
そして、調湿装置が作動すると、プリンタ本体部１の収容室Ｓ２内の空気が調湿されるとともに、連通口９１及び空気流路９０を通じてマガジン６０の収容室Ｓ１内の空気も調湿されるようになっている。これにより、マガジン６０の収容室Ｓ１内が乾燥して記録紙Ｐ１表面にヒビ割れが生じることを防止することができる。
【００９７】
＜マガジンの着脱手順＞
次に、前記マガジン６０をプリンタ本体部１に対して着脱する手順について説明する。まず、図６及び図７に示すように、オペレータがハンドル６３を利用してマガジン６０を持ち上げた状態で、プリンタ本体部１の前側下部に設けられた支持部材１５の支持軸１６に対して、マガジン６０の下部に形成された軸受溝６１ａを嵌め込む。
【００９８】
そして、図８に示すように、前記マガジン６０を支持軸１６周りにプリンタ本体部１側に回動させて、マガジン側開口部６０ｃと本体側開口部１ａとを連通させる。ここで、マガジン６０の回動途中において、マガジン側ロック部７０の係合ロッド７４は、本体側ロック部８０の解除フック部８３を押圧している（図９参照）。そして、マガジン６０の装着面部６０ｄが前記被装着面部８１ａに当接して装着されると（マガジン側開口部６０ｃと本体側開口部１ａとが連通されると）、装着面部６０ｄの位置決め孔６１ｂと被装着面部８１ａの位置決めピンとが嵌合（係合）するとともに、係合ロッド７４と解除フック部８３とが係合する（図１０参照）。
【００９９】
そして、図１１に示すように、前記ロックレバー７１を反時計回り方向に回転させて、係合ロッド７４と係合フック部８２とをロック位置で係合させる。このとき、解除フック部８３の付勢バネの付勢力によって、係合ロッド７４が係合フック部８２と解除フック部８３とに挟持された状態となっている。これにより、マガジン６０をプリンタ本体部１に装着することができる。
【０１００】
前記マガジン６０をプリンタ本体部１に装着すると、図３に示すように、プリンタ本体部１の本体側ギア４４とマガジン６０のマガジン側ギア６７とが噛合する。そして、駆動モータ２６の回転駆動力が、外部伝動ギア４１、第２電磁クラッチ４５、第１伝動プーリ１８、伝動ベルト４３、第２伝動プーリ４４ａ、本体側ギア４４、マガジン側ギア６７、及び駆動ギア６４ａの順に伝達されて、外部送出ローラ６４が送り出し方向に回転できるようになる。
【０１０１】
一方、前記マガジン６０をプリンタ本体部１から取り外す場合には、係合ロッド７４がロック位置にあるときに、ロックレバー７１を時計回り方向に回動させて第１のロック解除動作を行う。これにより、係合ロッド７４と係合フック部８２との係合が解除され、この解除により、マガジン６０は、その自重により、マガジン６０の軸受溝６１ａが支持軸１６と嵌合して、支持軸１６周りに、プリンタ本体部１から離れる側へ回動する。この回動に伴って係合ロッド７４がプリンタ前側へ移動する。このとき、図１２に示すように、解除フック部８３が、係合ロッド７４のプリンタ前側への移動に同期して、解除フック部８３の先端部と係合ロッド７４とが互いに係合した状態で、プリンタ前側へ移動する。そして、解除フック部８３が解除位置に達すると、係合ロッド７４の移動が停止し、この結果、マガジン６０が少し回動したところで停止する。
【０１０２】
次いで、解除フック部８３が解除位置にあるときに、ロックレバー７１を反時計回り方向に回転させることで、図１３に示すように、係合ロッド７４と解除フック部８３との係合を解除する第２のロック解除動作を行う。その後、マガジン６０を支持軸１６周りに回動させながらマガジン６０を持ち上げてプリンタ本体部１から取り外す。
【０１０３】
このように、前記マガジン６０をプリンタ本体部１から取り外すためには、係合ロッド７４をロック位置から解除位置まで移動させて係合ロッド７４と係合フック部８２との係合を解除する第１のロック解除動作を行った後で、さらに、係合ロッド７４と解除フック部８３との係合を解除する第２のロック解除動作を行うという、２段階のロック解除動作が必要となっている。これにより、第１のロック解除動作を行うときに、オペレータがマガジン６０から手を離していたり、マガジン６０をしっかりと把持していなかったとしても、解除位置において係合ロッド７４と解除フック部８３とが係合しているから、マガジン６０がプリンタ本体部１から脱落して破損してしまう等の不具合を防止することができる。
【０１０４】
以上の如く前記実施形態では、マガジン６０は、マガジン装着状態において、その内部に設けられる外部送出ローラ６４とプリンタ本体部１内の供給ローラ２４とが略平行になるように位置決めされる。したがって、印刷中の記録紙Ｐ１の蛇行を防止してその印刷品質の向上を図ることができる。
【０１０５】
また、前記実施形態では、マガジン６０は、マガジン装着状態において、位置決めピン１７と位置決め孔６１ｂとの嵌合により、装着面部６０ｄにおいてのみプリンタ本体部１（フレーム８１の被装着面部８１ａ）に支持されて位置決めが行われる。
【０１０６】
したがって、マガジン６０を、複数の箇所で支持するようにした場合（例えばマガジン下部の軸受溝６１ａと前記装着面部６０ｄとで支持するようにした場合）に該各支持部での拘束が互いに影響し合うことによるマガジン位置決め精度の低下を防止することができるとともに、ジグ等によるマガジン６０の位置調整作業を廃止して、マガジン６０の位置決め作業の簡単化を図ることができる。また、装着面部６０ｄは、マガジン側開口部６０ｃの近傍、つまり外部送出ローラ６４の近傍に設けられており、このように、外部送出ローラ６４の近傍に位置する装着面部６０ｄにてマガジン６０の位置決めを行うことによって、マガジン装着状態における外部送出ローラ６４の供給ローラ２４に対する位置決め精度を向上させることができる。
【０１０７】
また、前記実施形態では、被装着面部８１ａを構成するフレーム８１と、供給ローラ２４とを共通の部材（支持板１０１）により支持するようにしている。
【０１０８】
これにより、供給ローラ２４に対する被装着面部８１ａの位置出しを正確に行うことができ、延いては、マガジン装着状態における外部送出ローラ６４の供給ローラ２４に対する位置決め精度を向上させることができる。
【０１０９】
（他の実施形態）
本発明の構成は、前記実施形態に限定されるものではなく、それ以外の種々の構成を包含するものである。すなわち、前記実施形態では、フレーム８１の被装着面部８１ａに位置決めピン１７を突設させ、且つマガジン６０の装着面部６０ｄに位置決め孔６１ｂを設けるようにしているが、これに限ったものではなく、例えば、マガジン６０の装着面部６０ｄに位置決めピン１７を突設させ、且つ被装着面部８１ａに位置決め孔６１ｂを設けるようにしてもよい。
【０１１０】
また、前記実施形態では、マガジン６０が装着されるプリンタとしてインクジェットプリンタＡを使用した例について説明したが、これに限ったものではなく、例えばレーザプリンタ等であってもよい。
【産業上の利用可能性】
【０１１１】
本発明は、所定の搬送経路に沿って搬送される記録紙に対して画像を形成する印刷部を有するプリンタ本体部と、記録紙が収容されてプリンタ本体部に着脱可能に装着されるマガジンとを備えたプリンタに有用であり、特に、プリンタ本体部の外側側面部に着脱可能に装着されるマガジンを備えたプリンタに有用である。
【図面の簡単な説明】
【０１１２】
【図１】本発明の実施形態に係るインクジェットプリンタの外観を示す斜視図である。
【図２】インクジェットプリンタの内部の構成を示す、側方から見た概略図である。
【図３】電磁クラッチによる駆動モータの回転駆動力の伝達状態を示す概略側面図である。
【図４】電磁クラッチによる駆動モータの回転駆動力の伝達状態を示す概略平面図である。
【図５】印刷部の詳細を示す平面図である。
【図６】マガジンを支持部材に支持させる前の状態を示す側面図である。
【図７】マガジンを支持部材に支持させる前の状態を一部拡大して示す正面図である。
【図８】マガジンを支持部材に支持させた状態を示す図６相当図である。
【図９】係合ロッドを解除フック部の先端部に押圧させた状態を示す概略図である。
【図１０】係合ロッドと解除フック部とが係合した状態を示す図９相当図である。
【図１１】係合ロッドと係合フック部とが係合した状態を示す図９相当図である。
【図１２】係合ロッドと解除フック部とが解除位置において係合した状態を示す図９相当図である。
【図１３】係合ロッドと解除フック部との係合を解除した状態を示す図９相当図である。
【図１４】マガジンとプリンタ本体部との装着部周辺の構成を示す側面断面図である。
【図１５】位置決めブロックと、供給ローラと、該ブロック及び供給ローラを支持する一対の支持板とを示す、プリンタ前側から見た図である。
【図１６】マガジンをその前側の斜め上方から見た斜視図である。
【符号の説明】
【０１１３】
Ａ インクジェットプリンタ（プリンタ）
Ｐ１ 記録紙
１ プリンタ本体部
１ａ 本体側開口部
１７ 位置決めピン（位置決め手段、突起）
２１ 印刷部
２４ 供給ローラ
６０ マガジン
６０ｃ マガジン側開口部
６０ｄ 装着面部
６１ｂ 位置決め孔（位置決め手段、孔）
６４ 外部送出ローラ（送出ローラ）
８１ フレーム（本体側基準部材）
８１ａ 被装着面部
１０１ 支持板（共通支持部材、位置決め手段）
【図１】
2010195547.tif 000003
【図２】
2010195547.tif 000004
【図３】
2010195547.tif 000005
【図４】
2010195547.tif 000006
【図５】
2010195547.tif 000007
【図６】
2010195547.tif 000008
【図７】
2010195547.tif 000009
【図８】
2010195547.tif 000010
【図９】
2010195547.tif 000011
【図１０】
2010195547.tif 000012
【図１１】
2010195547.tif 000013
【図１２】
2010195547.tif 000014
【図１３】
2010195547.tif 000015
【図１４】
2010195547.tif 000016
【図１５】
2010195547.tif 000017
【図１６】
2010195547.tif 000018